(57)【特許請求の範囲】
【請求項１】
集水器に先端部を挿入される軒樋が前記集水器から脱落することを防止すべく前記集水器内で該集水器に係止可能に前記軒樋の先端縁に装着される軒樋用ストッパであって、
前記軒樋の底部先端縁に沿う帯状のウエブと、前記軒樋の前記底部先端縁を共同して挟持すべく前記ウエブの一側の長手方向の中央及び両端より互いに平行に伸長する３個の上方フランジ及び該上方フランジより小さい下方フランジとを備え、該３個のフランジの内、ウエブの長手方向の中央より伸長している上方フランジには、つまみ部が前記ウエブの他側を越えて当該フランジに一体的に形成されていることを特徴とする軒樋用ストッパ。
【発明の詳細な説明】
【技術分野】
【０００１】
本発明は、軒樋端部に装着される軒樋用ストッパに関する。
【背景技術】
【０００２】
従来、軒樋の熱伸縮により集水器から軒樋が抜け落ちることを防止するために、集水器の内部に挿入された軒樋の先端縁部に、該先端縁部を挟み込むストッパが設けられている（例えば、特許文献１及び２参照。）。
【０００３】
特許文献１に記載のストッパでは、ストッパ片の中央部に該ストッパ片の一側へ張り出す第１のフランジが設けられ、またストッパ片の端部に第１のフランジと平行になるようにストッパ片の一側へ向けて折り曲げ可能の第２のフランジが設けられている。このストッパによれば、第２のフランジの折り曲げ前の展開状態では、第１及び第２の両フランジは同一面上に位置することから、この展開状態で両フランジに接着剤を容易に塗布することができる。従って、両フランジへの接着剤の塗布後、該接着剤の塗布面で軒樋の先端部を挟持するように第２のフランジを折り曲げることにより、作業者の手を接着剤で汚すことなく、集水器内に挿入された軒樋の端部にストッパを固定することができる。
【０００４】
また、特許文献２に記載のストッパでは、帯状ストッパ片の長手方向に軒樋の端部を挟持する多数の挟持部が相互に間隔をおいて形成されており、軒樋の幅寸法に応じた長さで帯状ストッパを切断することにより、所望の長さ寸法のストッパを軒樋の施工現場で得ることができる。
【０００５】
これらストッパによれば、軒樋が集水器から脱け落ちようとすると、ストッパが集水器の軒樋を受け入れる開口縁部に係止されることから、軒樋の抜け落ちが防止される。
【特許文献１】特開平９−３２４５０８号公報（第２頁、図１）
【特許文献２】特開平９−３０２８６１号公報（第２頁、図２）
【発明の開示】
【発明が解決しようとする課題】
【０００６】
しかしながら、従来の前記ストッパは、そのいずれも、ストッパ片となる帯状部材の一側に、軒樋の縁部を挟持するための互いに対向する一組のフランジが形成されているに過ぎず、軒樋への取付け時にはコの字状の横断面形状を呈する小型のストッパである。そのため、接着剤が塗布されたストッパを軒樋の縁部に取り付けるとき、このストッパを取り扱う作業者の手に過剰な接着剤が付着することがある。また、小型のストッパを落とさないように、その取付け施工に注意を払う必要がある。そのため、取付け作業で接着剤を手に付着させることなく、しかも取付け作業を容易とするストッパが望まれていた。
【０００７】
また、従来の前記ストッパは、そのいずれも、軒樋の直線縁部に適用できるが、ストッパ片を軒樋の排水口のような弧状縁部の曲線に沿って撓ませることができないため、集水器内で軒樋の底部に形成された排出口の弧状縁部に装着することができず、軒樋の長手方向の移動の拘束に用いることはできなかった。また、排水口から流れ落ちる雨水が軒樋の底部を伝って集水器の挿入口から水漏れするという問題があった。
【０００８】
従って、本発明の目的は、取付け作業で接着剤を手に付着させることなくしかも取付け作業を容易とする軒樋用ストッパを提供することにある。
【０００９】
また、本発明の他の目的は、弧状縁部に適用することができる軒樋用ストッパを提供することにある。
【課題を解決するための手段】
【００１０】
請求項１に記載の軒樋用ストッパは、集水器に先端部を挿入される軒樋が前記集水器から脱落することを防止すべく前記集水器内で該集水器に係止可能に前記軒樋の先端縁に装着される軒樋用ストッパであって、前記軒樋の底部先端縁に沿う帯状のウエブと、前記軒樋の前記底部先端縁を共同して挟持すべく前記ウエブの一側の長手方向の中央及び両端より互いに平行に伸長する３個の上方フランジ及び該上方フランジより小さい下方フランジとを備え、該３個のフランジの内、ウエブの長手方向の中央より伸長している上方フランジには、つまみ部が前記ウエブの他側を越えて当該フランジに一体的に形成されていることを特徴とする。
【００１１】
（削除）
【発明の効果】
【００１２】
請求項１に記載の軒樋用ストッパによれば、ウエブの一側の長手方向の中央及び両端に形成された３個のフランジの内、ウエブの長手方向の中央より伸長している上方フランジには、前記ウエブの前記フランジが設けられた側と反対側に延在するつまみ部が形成されており、一対のフランジに接着剤を塗布する場合及び軒樋縁部に取り付ける場合に、作業者は、この接着剤が塗布されるフランジと反対側に延在するつまみ部を指で摘んでストッパを取り扱うことができるので、ストッパの取付け作業中に接着剤が作業者の手に付着することを防止することができ、またその取り扱いが容易となる。さらに、３個の下方フランジがそれぞれに対応する上方フランジより寸法形状が小さくされているので、接着剤を必要とする箇所に効果的に塗布することができる。
【００１３】
（削除）
【００１４】
また、ウエブの一側の長手方向の中央及び両端の３箇所に、上方フランジ及び下方フランジを備えたフランジが形成されているので、両フランジが形成されるウエブを弧状に変形可能とすることで、このウエブに形成された両フランジで前記集水器内の軒樋の底部に形成された排出口の開口縁部を共同して挟持することにより、軒樋の長手方向の移動を拘束することができる。さらに、ウエブが水切り部の機能を果たすので、軒樋の底面の伝い水による集水器からの水漏れを防止できる。
【発明を実施するための最良の形態】
【００１５】
以下、本発明を図示の実施例に沿って詳細に説明する。
【実施例】
【００１６】
本発明に係る軒樋用ストッパ１０は、図１に示すように、帯状の平板ウエブ１１と、該ウエブの中央部上縁でその一側よりウエブの長手方向と直角に外方へ伸長する上方フランジ１２ａと、該上方フランジから間隔をおいてこれと平行にウエブ１１の前記一側から伸長する下方フランジ１２ｂとが形成されている。この両フランジ１２ａ、１２ｂの間隔は、図２に示す軒樋１３の底部１３ａを挟持するに適正な値に設定されている。
【００１７】
図１に示す例では、上方フランジ１２ａ及び下方フランジ１２ｂを主フランジ１２ａ、１２ｂとして、その両側にウエブ１１の長手方向へ互いに間隔をおいてそれぞれが上方フランジ１４ａ及び下方フランジ１４ｂを有する一対の補助フランジ１４（１４ａ、１４ｂ）が形成されている。各補助フランジ１４（１４ａ、１４ｂ）における上方フランジ１４ａ及び下方フランジ１４ｂの間隔も、主フランジ１２ａ、１２ｂにおけると同様に、軒樋１３の底部１３ａを挟持するに適正な値に設定されている。
【００１８】
各上方フランジ１２ａ、１４ａに平行に設けられるそれぞれの下方フランジ１２ｂ、１４ｂは、図示の例では、それぞれに対応する上方フランジ１２ａ、１４ａの幅寸法及び張出寸法のそれらよりも小さく設定されている。また、主フランジ１２の上方フランジ１２ａは、補助フランジ１４の上方フランジ１４ａよりも大きな平面形状を有するように形成されており、この大型の上方フランジ１２ａには、該フランジと同一面上を該フランジからウエブ１１の他側を越えて外方に張り出すつまみ部１５が一体的に形成されている。
【００１９】
軒樋用ストッパ１０のウエブ１１、主フランジ１２（１２ａ、１２ｂ）及び一対の補助フランジ１４（１４ａ、１４ｂ）は、前記したつまみ部１５を含み、例えば塩化ビニル樹脂などの合成樹脂材料で一体に形成される。各上方フランジ１２ａ、１４ａの先端及び両側の上面縁部には、外方へ向けての厚さ寸法を漸減すべく、滑らかな傾斜が施されている。これにより、各上方フランジ１２ａ、１４ａの上面縁部には、傾斜面１２ｃ、１４ｃが形成されている。
【００２０】
軒樋用ストッパ１０は、図２及び図３に示すように、軒樋１３と集水器１６との結合に用いられる。軒樋１３は、平坦な底部１３ａと該底部の両側から立ち上がる一対の側壁１３ｂとを有するコの字状の横断面形状を有する軒樋である。集水器１６は平坦な４つの周壁部１６ａからなる全体に矩形の周壁を有し、その一つの周壁部１６ａには、軒樋１３の端部を受け入れる上端開放の矩形開口１６ｂが形成されている。
【００２１】
軒樋１３はその端部を矩形開口１６ｂから集水器１６内に挿入されており、該集水器内の軒樋１３の端部に本発明に係る軒樋用ストッパ１０が取り付けられる。
【００２２】
軒樋用ストッパ１０は、図３に示すように、集水器１６内の挿入された軒樋１３の平坦な底部１３ａに、その先端縁を各フランジ１２、１４の上方フランジ１２ａ、１４ａと下方フランジ１２ｂ、１４ｂで挟持するように、取り付けられる。
【００２３】
この軒樋用ストッパ１０の軒樋１３への取付けに先立って、軒樋用ストッパ１０を強固に取り付けるために、各上方フランジ１２ａ、１４ａ及び下方フランジ１２ｂ、１４ｂの互いに対向する面には、接着剤が塗布される。
【００２４】
この接着剤の塗布に際し、本発明に係る軒樋用ストッパ１０では、上方フランジ１２ａに、接着剤が塗布される面と反対側であるウエブ１１の他側に張り出すつまみ部１５が形成されていることから、このつまみ部１５を作業者が指で摘んで軒樋用ストッパ１０を取り扱うことができるので、接着剤で手を汚すことなく接着剤を必要とする部位に適正かつ比較的容易に接着剤を塗布することができる。
【００２５】
また、接着剤の塗布作業の完了後、つまみ部１５を指で摘んで軒樋用ストッパ１０を取り扱うことができるので、図３に示したように、軒樋用ストッパ１０の各上方フランジ１２ａ、１４ａ及び下方フランジ１２ｂ、１４ｂが軒樋１３の底部１３ａの先端縁部を挟持するように、軒樋用ストッパ１０を迅速かつ容易に軒樋１３の底部１３ａの先端縁部に差し込むことができる。この軒樋１３への軒樋用ストッパ１０の取付け作業に際し、過剰な接着剤がたとえ両フランジ１２ａ、１４ａ及び１２ｂ、１４ｂ間からはみ出しても、このはみ出した接着剤が接着部と反対側に伸びるつまみ部１５を挟む作業者の指に付着することはない。
【００２６】
従って、軒樋用ストッパ１０の取付け作業で作業者の指が接着剤で汚れることはなく、また軒樋用ストッパ１０をつまみ部１５で確実に摘むことができるので、この軒樋用ストッパ１０の取り扱いが容易に行える。
【００２７】
集水器１６内で軒樋用ストッパ１０の先端縁部に固着された軒樋用ストッパ１０は、軒樋１３が収縮して集水器１６からの引き抜き力を受けたとき、集水器１６の矩形開口１６ｂの縁部に係止されることから、軒樋１３の集水器１６からの抜け落ちが防止される。
【００２８】
また、上方フランジ１２ａに形成されたつまみ部１５は、この上方フランジ１２ａと同一面上をウエブ１１の他側を越えて集水器１６内に延在するに過ぎないことから、このつまみ部１５が軒樋１３から集水器１６内に流れる水の流れを妨げることはない。また、各上方フランジ１２ａ、１４ａの先端及び両側の上面縁部に形成された滑らかな傾斜面１２ｃ、１４ｃは、上方フランジ１２ａ、１４ａへの各異物の引っ掛かりを防止する。軒樋用ストッパ１０のウエブ１１は、下方フランジ１２ｂ、１４ｂよりも下方に伸長することにより、水切り作用をなし、その水切り作用によって、軒樋１３の底部１３ａ下面に沿った水漏れが防止される。
【００２９】
（削除）
【００３０】
前記したところでは、軒樋用ストッパ１０を箱形の軒樋１３に適用した例を説明したが、図４に示すように、軒樋用ストッパ１０のウエブ１１が弧状に撓み変形可能となるように該ウエブの厚さ寸法を選択することにより、軒樋の排水口の弧状縁部に軒樋用ストッパ１０を適用することができる。
【００３１】
図５及び図６に示す例では、集水器１６の対向する周壁部１６ａにそれぞれ矩形開口１６ｂが整列して形成されており、この矩形開口１６ｂを経て軒樋１３が集水器１６を貫通して配置されている。軒樋１３の平坦な底部１３ａには、軒樋１３を流れる雨水を集水器１６内に排出するための円形の排出口１７が形成されている。
【００３２】
排出口１７の開口縁部には、一対の軒樋用ストッパ１０が、互いに対向する縁部を挟み込むように、配置されている。
【００３３】
軒樋用ストッパ１０は、その弧状のウエブ１１で排出口１７の内周面を覆い、ウエブ１１に形成された各フランジ１２、１４の上方フランジ１２ａ、１４ａと下方フランジ１２ｂ、１４ｂで排出口１７の開口縁部を挟持するように、取り付けられる。
【００３４】
各軒樋用ストッパ１０の取付けに際し、前記したと同様に、各上方フランジ１２ａ、１４ａ及び下方フランジ１２ｂ、１４ｂ間には、接着剤が適用されるが、上方フランジ１２ａに一体的に形成されたつまみ部１５を指で摘んで各軒樋用ストッパ１０を取り扱うことができるので、接着剤の塗布作業及びその後の軒樋用ストッパ１０の排出口１７の開口縁部への挿入作業で、接着剤を作業者の手に付着させることなく、これら作業を行うことができる。
【００３５】
集水器１６内で軒樋１３の排出口１７の開口縁部に固着された各軒樋用ストッパ１０は、集水器１６に対して軒樋１３がその長手方向へ大きく変位しようとすると、集水器１６の周壁部１６ａに係合することにより、軒樋１３の長手方向の移動を拘束する。
【００３６】
また、各軒樋用ストッパ１０のウエブ１１は、その水切り作用により、排出口１７の縁部から矩形開口１６ｂに向かう伝い水を遮断することにより、矩形開口１６ｂの縁部からの水漏れを防止する。また、ウエブ１１は排出口１７の開口端面を覆うことにより、軒樋１３が金属芯材を有する場合、開口端面に露出する金属芯材を覆うことにより、該金属芯材を保護する作用をなす。
【００３７】
図５及び図６には、排出口１７が円形開口の例を示したが、排出口１７を軒樋１３の長手方向を長軸とする楕円形状とし、この楕円の開口縁部に一対の軒樋用ストッパ１０を適用することができる。また一対の軒樋用ストッパ１０のうち、一方を不要とすることができるが、軒樋１３の移動を確実に拘束し、また集水器１６の両矩形開口１６ｂの縁部からの水漏れを確実に防止する上で、図示のとおり、一対の軒樋用ストッパ１０を用いることが望ましい。
【図面の簡単な説明】
【００３８】
【図１】本発明に係る軒樋用ストッパを示す斜視図である。
【図２】本発明に係る軒樋用ストッパの使用例を示す斜視図である。
【図３】図２に示した線III−IIIに沿って得られた断面図である。
【図４】本発明に係る軒樋用ストッパの平面図である。
【図５】本発明に係る軒樋用ストッパの他の使用例を示す縦断面図である。
【図６】図５に示した線VI−VIに沿って得られた断面図である。
【符号の説明】
【００３９】
１０  軒樋用ストッパ
１１  ウエブ
１２ａ、１４ａ  上方フランジ
１２ｂ、１４ｂ  下方フランジ
１３  軒樋
１５  つまみ部
１６  集水器
１７  排出口
【図１】
0004477956.tif 000002
【図２】
0004477956.tif 000003
【図３】
0004477956.tif 000004
【図４】
0004477956.tif 000005
【図５】
0004477956.tif 000006
【図６】
0004477956.tif 000007